(57)【要約】【課題】テープを相手部材の側縁部に沿って容易に貼着できるテープ貼着工具の提供を図る。【解決手段】把手１Ａを把持してテープガイド３の位置決め部３ａをドアトリム１１の側縁部に当接させて、ドアトリム１１の所定位置に貼着した不織布テープ１２の貼着始端上にローラ２を押し当てて、テープ貼着方向へ転動させる。これにより、不織布テープ１２はテープガイド３，４によってテープ幅方向の遊動が規制されてローラ２とドアトリム１１面との間に逐次遊動されると共に、ドアトリム１１の側縁部に沿って整然と貼着される。【選択図】図２
2013112468.tif 000002
【特許請求の範囲】
【請求項１】
把持部材と、
前記把持部材に回転可能に装着されて、テープを相手部材面に押圧するローラと、
前記テープの幅相当の間隔をおいて前記ローラの両側で前記把持部材に固定され、前記テープを前記ローラと相手部材面との間へ誘導する一対のテープガイドと、を備え、
前記テープガイドの一方は、前記ローラよりも下方に張り出して、前記相手部材の側縁部に摺擦，係合する位置決め部を備えていることを特徴とするテープ貼着工具。
【請求項２】
前記テープガイドの他方は、その下縁を前記相手部材面に近接もしくは摺擦する直状縁として形成したことを特徴とする請求項１に記載のテープ貼着工具。
【発明の詳細な説明】
【技術分野】
【０００１】
本発明は、テープを相手部材の側縁部に沿って貼着する場合に用いられるテープ貼着工具に関する。
【背景技術】
【０００２】
特許文献１には、自動車のトリム部材の側縁部に不織布テープを貼着して、トリム部材の側縁部が車体パネル面と直接接触することによって生じる不快な摺擦異音の発生を回避するようにした技術が開示されている。
【先行技術文献】
【特許文献】
【０００３】
【特許文献１】特開平８−２１６６８３号公報
【発明の概要】
【発明が解決しようとする課題】
【０００４】
不織布テープは、専ら作業者の手作業によってトリム部材の側縁部に沿って押圧，貼着するようにしている。
【０００５】
このため、不織布テープを位置がずれないように貼着するのが難しく作業性の改善が望まれている。
【０００６】
そこで、本発明はテープを相手部材の側縁部に沿って容易に貼着することができるテープ貼着工具を提供するものである。
【課題を解決するための手段】
【０００７】
本発明のテープ貼着工具は、把持部材と、前記把持部材に回転可能に装着されて、テープを相手部材面に押圧するローラと、前記テープの幅相当の間隔をおいて前記ローラの両側で前記把持部材に固定され、前記テープを前記ローラと相手部材面との間へ誘導する一対のテープガイドと、を備えている。
【０００８】
そして、前記テープガイドの一方は、前記ローラよりも下方に張り出して、前記相手部材の側縁部に摺擦，係合する位置決め部を備えていることを主要な特徴としている。
【発明の効果】
【０００９】
本発明によれば、一方のテープガイドの位置決め部を相手部材の側縁部に当接させて、相手部材面の所定位置に貼着したテープの貼着始端上にローラを押し当てて、テープ貼着方向へ転動させる。これにより、テープは一対のテープガイドによってテープ幅方向の遊動が規制されてローラと相手部材面との間に逐次誘導されると共に、相手部材の側縁部に沿って整然と貼着される。
【００１０】
この結果、テープの位置ずれを生じることがなく、テープを相手部材面に容易に貼着することができて、テープの貼着作業性を改善することができる。
【図面の簡単な説明】
【００１１】
【図１】本発明に係るテープ貼着工具の一実施形態を斜め下方から見た斜視図。
【図２】図１に示したテープ貼着工具の断面説明図。
【図３】テープ貼着工具の使用例を示す斜視説明図。
【図４】テープ貼着工具の使用例を示す斜視説明図。
【発明を実施するための形態】
【００１２】
以下、本発明の一実施形態を図面と共に詳述する。
【００１３】
図１，図２に示す本実施形態のテープ貼着工具は、把持部材１と、該把持部材１に回転可能に装着されて後述するテープ１２を相手部材１１面（テープ１２，相手部材１１は何れも図３，図４参照）に押圧するローラ２と、一対のテープガイド３，４と、を備えている。
【００１４】
把持部材１は、把手１Ａと、該把手１Ａを固定すると共に、前記ローラ２およびテープガイド３，４を取りつけるベース部材１Ｂと、で構成している。
【００１５】
把持部材１，ローラ２，およびテープガイド３，４は、何れも適宜の合成樹脂材で構成している。
【００１６】
把持部材１のベース部材１Ｂは、逆Ｌ字状断面に形成してあり、逆Ｌ字状の上面部分に把手１Ａを螺合固定して立設し、側面部分にローラ２とテープガイド３，４とをボルト６とナット７とにより取りつけるようにしている。
【００１７】
ローラ２には、その中心部分に軸受部材５を圧入嵌合してサブアッセンブリしてある。
【００１８】
このローラ２の両側にテープガイド３，４を配置し、これらテープガイド３，４と軸受部材５とにボルト６を挿通し、ナット７締めすることによって、これらテープガイド３，４と軸受部材５とをベース部材１Ｂに固定している。
【００１９】
ローラ２の側面とテープガイド３，４との接触を避けるため、例えば、軸受部材５のインナレース５ａの一端にテープガイド４に当接するスペーサ部５ｂをフランジアップして形成し、テープガイド３の内面側中心部分にこのインナレース５ａの他端に当接するスペーサ部３ｂを突出して有段成形してある。
【００２０】
テープガイド３は、ローラ２よりも下方に張り出して、相手部材１１の側縁部に摺擦，係合する位置決め部３ａを備えている。
【００２１】
テープガイド４は、その下縁を相手部材１１面に近接もしくは摺擦する平坦な直状縁４ａとして形成している。
【００２２】
本実施形態では、テープガイド３，４を何れもローラ２よりも大径の円盤状に形成して、位置決め部３ａはテープガイド３の円盤形状の下側部分で構成し、直上縁４ａはテープガイド４の下側をローラ２の下面よりもやや上側の位置でほぼ水平に切欠した形状として構成している。
【００２３】
次に、上述の構成からなるテープ貼着工具を用いて、テープを相手部材に貼着する作業例を図３，図４により説明する。
【００２４】
この作業例では、自動車のドアトリム１１を相手部材とし、その裏面側の側縁部に沿ってテープとしての不織布テープ１２を貼着する場合を示している。
【００２５】
図３は不織布テープ１２の貼着作業開始時を示している。不織布テープ１２は予め所要の長さに裁断し、一側面に付設した離型紙を剥がして接着面を露出させる。作業者はこの不織布テープ１２の貼着始端部をドアトリム１１の側縁部近傍の所要位置に位置合わせして乗せ、指先で軽くしごいて貼着させる。
【００２６】
次に、作業者は一方の手Ｈでテープ貼着工具の把手１Ａを把持し、一方のテープガイド３の位置決め部３ａをドアトリム１１の側縁部に当接させ、ローラ２を不織布テープ１２の貼着始端部上に押し当てる。このとき、不織布テープ１２の未貼着部分は、ローラ２の上側に巻き返すようにしてテープガイド３，４の間に部分的に入り込ませる。
【００２７】
そして、不織布テープ１２の未貼着部分に他方の手を添え、あるいは自由状態のまま押圧状態を維持して図４に示すようにローラ２をテープ貼着方向に向けて押圧，転動させる。
【００２８】
これにより、不織布テープ１２は一対のテープガイド３，４によってテープ幅方向の遊動が規制されてローラ２とドアトリム１１との間に逐次誘導されると共に、ドアトリム１１の側縁部に沿って整然と貼着される。
【００２９】
この結果、不織布テープ１２の位置ずれを生じることがなく、不織布テープ１２をドアトリム１１の適正位置に容易に貼着することができて、貼着作業性を改善することができる。
【００３０】
本実施形態では、他方のテープガイド４の下縁を、ドアトリム１１面に近接もしくは摺接する平坦な直状縁４ａとして形成しているので、前記ローラ２の移動時に工具が全体的に移動前後方向にフラツキを生じることがなく、安定姿勢を維持して貼着作業を行えて、より作業性を向上することができる。
【００３１】
前記実施形態では、ドアトリム１１に不織布テープ１２を貼着する作業例を示したが、これに限定されず、テープを相手部材面の側縁部に沿って貼着する作業に用いて同様の効果を奏することができる。
【００３２】
また、テープガイド３，４は円盤状のものを示したが形状はこれに限定されず、テープ１２の遊動を抑えて貼着部へ誘導できる構成であればよい。
【００３３】
また、ローラ２は移動方向に複数を多段配置した構成でもよく、更には、把持部材１はその把手１Ａがローラ２の直上部分に配置した構成であってもよい。
【符号の説明】
【００３４】
１…把持部材
２…ローラ
３…一方のテープガイド
３ａ…位置決め部
４…他方のテープガイド
４ａ…直状縁
１１…ドアトリム（相手部材）
１２…不織布テープ（テープ）
【図１】
2013112468.tif 000003
【図２】
2013112468.tif 000004
【図３】
2013112468.tif 000005
【図４】
2013112468.tif 000006